(57)【要約】【課題】ユーザが好みの音場設定に容易に切り替えることができる音声信号出力装置を提供する。【解決手段】リモートコントローラ１５に、ＤＳＰが再現する音場を切り替えるために操作される各ユーザ専用のユーザ専用ボタン１５４を設ける。ユーザ専用ボタン１５４が操作されるたびに、予めユーザ毎に登録されている音場に順次切り替えられる。ユーザによって登録される音場の個数及び順序は、適宜設定可能である。【選択図】図２
2011109533.tif 000002
【特許請求の範囲】
【請求項１】
予め準備された複数の音場からユーザが１又は複数の所望の音場を選択するために、ユーザによって操作される音場選択手段と、選択された音場をユーザ毎に関連づけて記憶する記憶手段と、前記音場選択手段の操作によって選択された音場に応じて、入力された音声信号にデジタル処理を施し、前記音場を再現した音声信号を出力する音声信号処理手段とを備えた音声信号出力装置において、
前記音場選択手段は、ユーザが音場を選択する際にユーザを特定するために使用され、かつユーザが前記記憶手段から自己が選択した音場を読み出すために使用されるユーザ専用ボタンを有することを特徴とする音声信号出力装置。
【請求項２】
ユーザが自己の選択した音場を読み出すために前記ユーザ専用ボタンが操作されたとき、前記記憶手段に記憶された音場から操作された前記ユーザ専用ボタンに対応する特定の音場が順次選択されることを特徴とする請求項１に記載の音声信号出力装置。
【請求項３】
前記順次選択される特定の音場の順序は、ユーザ毎に設定可能であることを特徴とする請求項２に記載の音声信号出力装置。
【発明の詳細な説明】
【技術分野】
【０００１】
本発明は、音場設定が可能な音声信号出力装置に関するものである。
【背景技術】
【０００２】
従来から、オーディオ装置においては、例えば、図４に示すような複数の音場の中からユーザの好みに応じて音場を設定できるように、種々の提案がなされている。例えば、特許文献１には、番組のジャンルに応じて音場スキャン順序を変更するラジオ受信機が示されている。また、特許文献２には、ユーザがカテゴリを指定することでカテゴリ内の音場設定を２秒毎に順次切替える音場補正装置が示されている。また、特許文献３には、ユーザが好みの音場を設定し、登録できるようにした音場再生装置が示されている。また、特許文献４には、曲のジャンルに応じて自動的に音響補正を行うＣＤ再生装置が示されている。
【先行技術文献】
【特許文献】
【０００３】
【特許文献１】特開平０７−２８４１８７号公報
【特許文献２】特開平０６−０７０３９９号公報
【特許文献３】特開平０５−０４１２９９号公報
【特許文献４】特開２０００−２３５７７２号公報
【発明の概要】
【発明が解決しようとする課題】
【０００４】
従来のオーディオ装置においては、一般にリモートコントローラの音場切替ボタン（または、音場切替画面が表示中に操作される音場の切替に相当するボタン）を押下すると、図４に示すようにメーカによって予め設定された順序で音場の設定が順次切替えられる。しかしながら、ユーザの趣向は多様であるため、メーカによって予め設定された順序で音場の設定が切替えられる構成では、好みの音場に辿り着くまでに多くの操作を必要とする場合がある。例えば、図４に示した例において、ユーザの好みが音場７（ヴォーカル）である場合、この音場７に辿り着くまでに少なくとも６回の操作が必要となり、使い勝手が悪い。一方、ほとんどのユーザにとっては、好みの音場は再生するコンテンツに関わらず２つ又は３つ程度である場合が多い。ところが、図４に示した全ての音場を順次切替えていく場合、操作が煩雑な傾向となる。なお、上記いずれの特許文献に示された技術を適用しても、上記課題を解決できない。
【０００５】
本発明は、上記課題を解決するためになされたものであり、最小限の操作でユーザが好みの音場設定に迅速かつ容易に切り替えることができる音声信号出力装置を提供することを目的とする。
【課題を解決するための手段】
【０００６】
上記目的を達成するために請求項１の発明は、予め準備された複数の音場からユーザが１又は複数の所望の音場を選択するために、ユーザによって操作される音場選択手段と、選択された音場をユーザ毎に関連づけて記憶する記憶手段と、前記音場選択手段の操作によって選択された音場に応じて、入力された音声信号にデジタル処理を施し、前記音場を再現した音声信号を出力する音声信号処理手段とを備えた音声信号出力装置において、前記音場選択手段は、ユーザが音場を選択する際にユーザを特定するために使用され、かつユーザが前記記憶手段から自己が選択した音場を読み出すために使用されるユーザ専用ボタンを有することを特徴とする。
【０００７】
請求項２の発明は、請求項１に記載の音声信号出力装置において、ユーザが自己の選択した音場を読み出すために前記ユーザ専用ボタンが操作されたとき、前記記憶手段に記憶された音場から操作された前記ユーザ専用ボタンに対応する特定の音場が順次選択されることを特徴とする。
【０００８】
請求項３の発明は、請求項２に記載の音声信号出力装置において、前記順次選択される特定の音場の順序は、ユーザ毎に設定可能であることを特徴とする。
【発明の効果】
【０００９】
請求項１の発明によれば、音場選択手段がユーザ毎に音場を選択するためのユーザ専用ボタンを有しているので、ユーザは自分用の専用ボタンを操作することにより、迅速かつ容易に音場の設定を切り替えることができ、音声信号出力装置の利便性が向上する。
【００１０】
請求項２の発明によれば、ユーザ専用ボタンが操作されたとき、予め選択された１又は複数の特定の音場が順次選択されるので、コンテンツの種類等に応じて所望の音場を迅速かつ容易に選択可能となり、音声信号出力装置の利便性がより一層向上する。特に、音声信号出力装置が再現可能な音場の数が多くなっても、ユーザが所望の音場を選択するのに要する操作が増加しないため、操作性が高められる。
【００１１】
請求項３の発明によれば、順次選択される特定の音場の順序は、ユーザ毎に設定可能であるので、ユーザは、所望の音場が順次切り替わるように、予め設定しておくことにより、少ない操作回数で所望の音場に設定可能となり、音声信号出力装置の利便性がより一層向上する。
【図面の簡単な説明】
【００１２】
【図１】本発明に係る音声信号出力装置の一実施形態である光ディスク再生装置の構成を示すブロック図。
【図２】同装置のリモートコントローラの外観を示す平面図。
【図３】各ユーザに対応するユーザ専用ボタンが操作されたときに、順次切り替えられる音場を示す図。
【図４】従来のオーディオ装置において、音場切替ボタンが操作されたときに、順次切り替えられる音場を示す図。
【発明を実施するための形態】
【００１３】
本発明に係る音声信号出力装置の一実施形態による光ディスク再生装置について図面を参照して説明する。図１は光ディスク再生装置の構成を示している。光ディスク再生装置１は、光ディスク駆動装置２、ＤＳＰ（Digital Signal Processor：音声信号処理手段）４、ＰＷＭ（Pulse Width Modulation）プロセッサ５、スピーカ出力用アンプ６、スピーカ装置７、メモリ（記憶手段）１１、電源部１２、制御部１３、受信部１４、リモートコントローラ（音場選択手段）１５等によって構成されている。
【００１４】
光ディスク駆動装置２は、装填された光ディスクを回転駆動しながら光を照射し、その反射光を電気信号に変換することにより、映像信号や音声信号等を読み出す。ＤＳＰ４は、光ディスク駆動装置２から入力された音声信号に各種のデジタル処理を施し、処理後の音声信号をＰＷＭプロセッサ５に出力する。ＤＳＰ４が施すデジタル処理の一例としては、音場に合わせた残響音を生成することにより音場を再現した音声信号を生成する音場再現処理がある。音場は、図４に示すように、予め複数種類準備されており（図４においては、７種類）、ＤＳＰ４は、制御部１３からの制御信号に応じて、各音場に合わせた残響音を生成する。
【００１５】
ＰＷＭプロセッサ５は、制御部１３によって制御され、ＰＷＭ信号を生成する。スピーカ（ＳＰ）出力用アンプ６は、ＰＷＭプロセッサ５から出力されたＰＷＭ信号に基づいて、ＰＷＭプロセッサ５を介してＤＳＰ４から出力された音声信号を増幅し、スピーカ装置７に出力する。スピーカ装置７は、スピーカ出力用アンプ６から出力された音声信号に応じて振動板を振動させて、音声を出力する。スピーカ装置７は、光ディスク再生装置１の本体の筐体内部又は外部に配設される。
【００１６】
メモリ１１は、制御部１３の動作に関連する各種のデータを記憶する。電源部１２は、商用の交流電源に接続され、交流電力を直流電力に変換して、光ディスク再生装置１の各部に電力を供給する。なお電源部１２は、近年小型化等の要請から、電源トランスからスイッチング電源に置き換えられている。制御部１３は、光ディスク再生装置１の各部、すなわちＤＳＰ４、ＰＷＭプロセッサ５、スピーカ出力用アンプ６、電源部１２等の制御を司る。受信部１４は、リモートコントローラ１５から送信された赤外線信号を受信して電気信号に変換し、制御部１３に転送する。リモートコントローラ１５は、ユーザによって操作され、その操作に応じた赤外線信号を発信する。例えば、ユーザは、リモートコントローラ１５を操作して、光ディスクの再生状態や所望の音場を選択する。
【００１７】
図２は、リモートコントローラ１５の外観を示している。リモートコントローラ１５は、電源ボタン１５１、テンキー１５２、音場切替設定ボタン１５３、複数のユーザ専用ボタン１５４、カーソルキー１５５、決定キー１５６等を備えている。電源ボタン１５１は、光ディスク再生装置１の主電源をオン／オフするために操作される。テンキー１５２は、数値等の制御パラメータを光ディスク再生装置１に入力するために操作される。音場切替設定ボタン１５３は、ユーザ毎に音場の切替を設定するために操作される。ユーザ専用ボタン１５４は、ＤＳＰ４が再現する音場を切り替えるために操作される。図２においては、３人以下のユーザに対応するように設定されている。なお、ユーザ専用ボタン１５４の数は３つに限定されず４つ以上であってもよい。あるいは、ユーザ専用ボタン１５４として、２つ以上のボタンを併用して操作するように設定することができる。カーソルキー１５５及び決定キー１５６は、光ディスク再生装置１の各種状態を設定し、決定するために操作される。
【００１８】
図３は、特定のユーザに対応するユーザ専用ボタン１５４が操作されたときに、順次切り替えられる音場を示している。光ディスクを再生中に、特定のユーザに対応するユーザ専用ボタン１５４が一度操作されると、音場が音場４（ライブハウス）に切り替えられる。さらにユーザ専用ボタン１５４が操作されると、音場が音場７（ヴォーカル）に切り替えられる。この状態から、さらに同じユーザ専用ボタン１５４が操作されると、音場が音場４（ライブハウス）に切り替えられる（以下同様）。ＤＳＰ４が再現可能な音場は７種類準備されているが、ユーザの好みにより、そのユーザが実際に選択する音場は通常２又は３種類程度に限定されることが多い。そこで、本実施形態においては、ユーザ毎に所望の音場を設定しメモリ１１等に登録しておくことにより、ユーザ専用ボタン１５４の押下のみにより、登録された特定の音場に限定して順次切り替える。
【００１９】
ユーザ毎の所望の音場の選択及び登録は、例えば、音場切替設定ボタン１５３を操作して、音場切替設定画面をモニタ装置等に表示することによりなされる。音場切替設定画面の表示を確認しながら、ユーザはユーザ専用ボタン１５４、カーソルキー１５５、決定キー１５６等を適宜操作することにより、ユーザ毎の１又は複数の所望の音場が登録される。このとき、各音場の優先順位も登録可能であり、また登録する音場の数も適宜設定できる。
【００２０】
以上のように、本実施形態の光ディスク再生装置１によれば、リモートコントローラ１５がユーザ毎に音場を選択するための複数のユーザ専用ボタン１５４を有しているので、ユーザは自分に対応する専用ボタンを操作することにより、迅速かつ容易に音場の設定を切り替えることができ、光ディスク再生装置１の利便性が向上する。また、ユーザ専用ボタン１５４が操作されたとき、予めメモリ１１に登録された特定の音場が順次選択されるので、コンテンツの種類等に応じて所望の音場を迅速かつ容易に選択可能となり、光ディスク再生装置１の利便性がより一層向上する。特に、光ディスク再生装置１が再現可能な音場の数が多くなっても、ユーザが所望の音場を選択するのに要する操作が増加しないため、操作性が高められる。また、順次選択される特定の音場の順序は、ユーザ毎に設定可能であるので、ユーザは、所望の音場が順次切り替わるように予め設定しておくことにより、少ない操作回数で所望の音場に設定可能となり、光ディスク再生装置１の利便性がより一層向上する。
【００２１】
なお、本発明は上記実施形態の構成に限られることなく、少なくともユーザ毎に音場を選択するためのユーザ専用ボタン１５４を備えていればよい。また、本発明は種々の変形が可能であり、例えば、ユーザ専用ボタン１５４は、リモートコントローラ１５に設けられている形態に限られることなく、光ディスク再生装置１の筐体の前面に設けられていてもよい。
【符号の説明】
【００２２】
１    光ディスク再生装置
４    ＤＳＰ（音声信号処理手段）
１１    メモリ（記憶手段）
１５    リモートコントローラ（音場選択手段）
【図１】
2011109533.tif 000003
【図２】
2011109533.tif 000004
【図３】
2011109533.tif 000005
【図４】
2011109533.tif 000006